(57)【要約】 多少なくとも独立した２つの洗濯ドラムと、１つの操作パネル（３）と、１つの集積回路（Ｉｎｔｅｇｒａｔｅｄ  Ｃｉｒｃｕｉｔ：ＩＣ）コントローラと、１つの駆動回路基板とを備えるドラム洗濯機およびその制御方法であって、前記操作パネル（３）は、複数の入力制御要素（９）および複数の出力表示要素（１０）を有し、前記入力制御要素（９）が洗濯パラメータの入力に用いられ、前記出力表示要素（１０）が洗濯工程の状態表示に用いられ、前記ＩＣコントローラおよび駆動回路基板は、前記操作パネル（３）に接続され、且つ、前記洗濯ドラムの動作を制御する洗濯機およびその制御方法。【選択図】図３
2019501724.tif 000002
【特許請求の範囲】
【請求項１】
少なくとも独立した２つの洗濯ドラムと、１つの操作パネルと、１つの集積回路ＩＣコントローラと、１つの駆動回路基板とを備える多ドラム洗濯機であって、
前記操作パネルは、複数の入力制御要素および複数の出力表示要素を有し、前記入力制御要素が洗濯パラメータの入力に用いられ、前記出力表示要素が洗濯工程の状態表示に用いられ、
前記ＩＣコントローラおよび駆動回路基板は、前記操作パネルに接続され、且つ、前記洗濯ドラムの動作を制御する、多ドラム洗濯機。
【請求項２】
前記複数の洗濯ドラムは、前記入力制御要素および前記出力表示要素の一部または全部を共用し、動作時に、複数の洗濯ドラムのうちの１つを選定することで、共用の入力制御要素および／または出力表示要素を、前記複数の洗濯ドラムのうちの１つの動作プログラムに一意に対応させ、前記複数の洗濯ドラムのうちの１つの入力要素または出力要素とする、請求項１に記載の多ドラム洗濯機。
【請求項３】
前記操作パネルに、複数の洗濯ドラムのうちの１つを指定するための選択用のスイッチが設けられる、請求項２に記載の多ドラム洗濯機。
【請求項４】
複数の洗濯ドラムは、それぞれ独立した出力表示要素を有し、前記入力制御要素のみが共用される、請求項２に記載の多ドラム洗濯機。
【請求項５】
複数の洗濯ドラムは、それぞれ独立した入力制御要素を有し、前記出力表示要素のみが共用される、請求項２に記載の多ドラム洗濯機。
【請求項６】
複数の洗濯ドラムは、前記入力制御要素および前記出力表示要素を共用する、請求項２に記載の多ドラム洗濯機。
【請求項７】
前記スイッチは、ボタンまたはつまみである、請求項３に記載の多ドラム洗濯機。
【請求項８】
前記操作パネルに、電源をまとめて制御するスイッチとして１つの電源スイッチが備えられる、請求項１〜７のいずれか１項に記載の多ドラム洗濯機。
【請求項９】
前記入力制御要素および前記出力表示要素は、同一のボタンにある、請求項１〜７のいずれか１項に記載の多ドラム洗濯機。
【請求項１０】
請求項１〜９のいずれか１項に記載の多ドラム洗濯機を使用した多ドラム洗濯機の制御方法であって、
洗濯機が該当する洗濯ドラムの選択コマンドを取得することと、
該洗濯ドラムのバックグラウンド制御プログラムを呼び出し、共用の入力制御要素および／または出力表示要素を、複数の洗濯ドラムのうちの１つの動作プログラムに一意に対応させ、前記複数の洗濯ドラムのうちの１つの入力要素または出力要素とすることと、を含む多ドラム洗濯機の制御方法。
【請求項１１】
前記洗濯ドラムのバックグラウンド制御プログラムを呼び出す際に、前記入力制御要素のみを入力要素とする、請求項１０に記載の多ドラム洗濯機の制御方法。
【請求項１２】
前記洗濯ドラムのバックグラウンド制御プログラムを呼び出す際に、前記出力制御要素のみを出力要素とする、請求項１０に記載の多ドラム洗濯機の制御方法
【発明の詳細な説明】
【技術分野】
【０００１】
本開示は、洗濯機の設計・製造の技術分野に関し、例えば、多ドラム洗濯機およびその制御方法に関する。
【背景技術】
【０００２】
一般的なドラム式洗濯機は、いずれも単一ドラムの洗濯機であり、家族全員の衣類を洗濯する要求に対応するために、通常家庭では、例えば６ｋｇ以上の大容量の大型洗濯機が選ばれる。時代の進歩および人々の生活レベルの向上に伴い、生活リズムもますます速くなり、上記洗濯機には、使用中に様々な問題が存在している。例えば、衣類は大人の衣類、下着および子供の衣類に分けられ得るが、別々に洗濯するために、洗濯機を何度も使用する必要があり、多くの洗濯時間がかかり、且つ大量のエネルギーを消費しなければならない。さらに、省エネを考慮すると、大型の洗濯機に設定された洗濯工程は、一般的に、大量の水を消費し、消費電力も大きく、少量の衣類を洗濯する場合、大型の洗濯機は好ましい選択肢ではない。同時に、洗濯工程で想定される衣類量が多いことで、洗濯時間も比較的長くなる。また、大型の洗濯機に設定されている洗濯工程は、主に一般的な衣類を想定しており、下着または子供の衣類等のデリケートな衣類の洗濯に適しない可能性がある。
【０００３】
以上の問題を解決するために、関連技術では、大容量の洗濯ドラムと小容量の洗濯ドラムとを別々にまたは同時に駆動し、それぞれのドラムにおいて独立した洗濯動作を行うダブルドラム洗濯機を開発した。ユーザーが容量の異なる２台のドラム式洗濯機を同時に有するようにするとともに、物理的空間を余分に占めることなく、柔軟に洗濯量、洗濯衣類のタイプに応じて同時にまたは別々に洗濯することができる。
【０００４】
しかし、関連技術では、一般的に、上記のダブルドラム洗濯機について洗濯ドラムごとに独立して対応する入力制御ユニットと出力表示ユニットを配置し、制御システムがハードウェアに簡単に付加され、実質的には依然として独立した２セットの制御システムであり、間接的に製造コストを上昇させており、市場での普及と応用を妨げるとともに、後期の制御システムのバージョンアップとメンテナンスにも不利である。
【発明の概要】
【発明が解決しようとする課題】
【０００５】
本開示は、多ドラム洗濯機の各洗濯ドラムの制御問題を解決し、多ドラム洗濯機の製造コストを低減するための多ドラム洗濯機およびその制御方法を提供する。
【課題を解決するための手段】
【０００６】
本開示の実施例は、
少なくとも独立した２つの洗濯ドラムと、１つの操作パネルと、１つの集積回路（Ｉｎｔｅｇｒａｔｅｄ  Ｃｉｒｃｕｉｔ：ＩＣ）コントローラと、１つの駆動回路基板とを備える多ドラム洗濯機であって、
前記操作パネルは、複数の入力制御要素および複数の出力表示要素を有し、前記入力制御要素が洗濯パラメータの入力に用いられ、前記出力表示要素が洗濯工程の状態表示に用いられ、
前記ＩＣコントローラおよび駆動回路基板は、前記操作パネルに接続され、且つ、前記洗濯ドラムの動作を制御する、多ドラム洗濯機を提供する。
【０００７】
オプションとして、前記複数の洗濯ドラムは前記入力制御要素および前記出力表示要素の一部または全部を共用し、動作時に、複数の洗濯ドラムのうちの１つを選定することで、共用の入力制御要素および／または出力表示要素を前記複数の洗濯ドラムのうちの１つの動作プログラムに一意に対応させ、前記複数の洗濯ドラムのうちの１つの入力要素または出力要素とする。
【０００８】
オプションとして、前記操作パネルに、複数の洗濯ドラムのうちの１つを指定するための選択用のスイッチが設けられる。
【０００９】
オプションとして、前記スイッチがボタンまたはつまみである。
【００１０】
オプションとして、複数の洗濯ドラムは、それぞれ独立した出力表示要素を有し、前記入力制御要素のみが共用される。
【００１１】
オプションとして、複数の洗濯ドラムは、それぞれ独立した入力制御要素を有し、前記出力表示要素のみが共用される。
【００１２】
オプションとして、複数の洗濯ドラムは、前記入力制御要素および前記出力表示要素を共用する。
【００１３】
オプションとして、前記操作パネルに、電源をまとめて制御するスイッチとして１つの電源スイッチが備えられる。
【００１４】
オプションとして、前記入力制御要素および前記出力表示要素は、同一のボタンにある。
【００１５】
本開示の実施例は、本開示のいずれかの実施例に係る多ドラム洗濯機を使用した多ドラム洗濯機の制御方法であって、
洗濯機が該当する洗濯ドラムの選択コマンドを取得することと、該洗濯ドラムのバックグラウンド制御プログラムを呼び出し、共用の入力制御要素および／または出力表示要素を、複数の洗濯ドラムのうちの１つの動作プログラムに一意に対応させ、前記複数の洗濯ドラムのうちの１つの入出力要素とすることと、を含む多ドラム洗濯機の制御方法をさらに提供する。
【００１６】
オプションとして、前記洗濯ドラムのバックグラウンド制御プログラムを呼び出す際に、前記入力制御要素のみを入力要素とする。
【００１７】
オプションとして、前記洗濯ドラムのバックグラウンド制御プログラムを呼び出す際に、前記出力制御要素のみを出力要素とする。
【００１８】
本開示の実施例による多ドラム洗濯機およびその制御方法は、操作パネルに入力制御要素および出力表示要素が設けられ、使用時に、複数の洗濯ドラムは入力制御要素および出力表示要素の全てまたは一部を共用し、特定の洗濯ドラムを選定することで、対応する洗濯プログラムを呼び出し、上記の入力制御要素および／または出力表示要素を該洗濯プログラムに関連付け、複数の洗濯ドラムのうちの１つに対応する入力および出力とする。これによって、複数の洗濯ドラムの操作と制御を１セットの制御システムに統合することが達成でき、従来の簡単なハードウェアの付加を代替し、多ドラム洗濯機の操作パネルの入力制御ユニットおよび出力表示ユニットの数を減少し、それにより操作パネルのハードウェア構造を簡略化し、洗濯機のハードウェアのコストを低減するとともに、後期の制御システムのバージョンアップとメンテナンスに寄与する。
【図面の簡単な説明】
【００１９】
【図１】実施例に係るダブルドラム洗濯機の外形構成図である。
【図２】実施例に係るダブルドラム洗濯機の制御システムの構成図である。
【図３】実施例に係るダブルドラム洗濯機の操作パネルの第１種の構成図である。
【図４】実施例に係るダブルドラム洗濯機の複数の入力制御要素の構成模式図である
【図５】実施例に係るダブルドラム洗濯機の複数の出力表示要素の構成模式図である。
【図６】実施例に係るダブルドラム洗濯機の操作パネルの第２種の構成図である。
【図７】実施例に係るダブルドラム洗濯機の操作パネルの第３種の構成図である。
【図８】実施例に係るダブルドラム洗濯機の操作パネルの第４種の構成図である。
【図９】実施例に係る入力制御要素および前記出力表示要素が同一のボタンに位置する模式図である。
【図１０】本開示の実施例に係る制御方法の流れを示す模式図である。
【発明を実施するための形態】
【００２０】
以下、オプションの実施例および図面を参照しながら、本開示を詳細に説明する。ここで説明するオプションの実施例は、本開示を解釈するためのものに過ぎず、本開示を限定するものではないことが理解できる。また、説明の便宜上、図面において、本開示に関する内容の全てでなく、一部のみを示す。矛盾しない限り、各実施例における特徴は、互いに任意に組み合わせることができる。
【００２１】
図１に示すように、ダブルドラム洗濯機の外形構成図が示される。該洗濯機は、機体内に上ドラム１および下ドラム２が取り付けられ、独立した大小２つの洗濯ドラムの組み合わせが形成されるとともに、操作パネル３を有する。実際の生産において、通常、上ドラム１の容量を比較的小さくし、一般的には２〜３ｋｇであり、下ドラム２の容量を比較的大きくし、一般的には６〜８ｋｇである。このようにして、洗濯機全体の重心位置を下げることにも寄与する。動作時に、独立した２つの洗濯ドラムは別々または同時に動作することができ、ユーザーが容量の異なる２台のドラム式洗濯機を同時に有するようにし、家庭の各種洗濯要求にさし当たり、より多くの選択肢を有する。例えば、上ドラムによって１枚または少量の衣類の念入りな洗濯を行い、下ドラムによって大きな衣類の洗浄、例えばシートや掛布団カバーの洗浄を行うことができ、さらに重要となるのは、二種類の洗濯を同時に行うことができ、待ち時間を減少し、実際の使用効果からいうと、さらに時間を節約して省エネである。
【００２２】
上記ドラム式洗濯機は、上下独立した２つの洗濯ドラムの制御に関わるため、ユーザーに合わせて各洗濯ドラムに対する入力設定と状態表示を実現するために、客観的に操作パネル３に、各ドラムにそれぞれ対応する２セットの入力制御ユニットと出力表示ユニットを設ける必要がある。該ダブルドラム洗濯機の制御システムの構成は図２に示すように、ユーザーは、操作パネルを介して各種の洗濯パラメータとプログラムの選定や設定を行い、ＩＣコントローラは、操作パネルに通信可能に接続され、操作パネルから入力されたパラメータを受信し、且つ、選定されたプログラムを入れ、コマンドを駆動回路に送信する。駆動回路によって、コマンドに従って該当する上ドラムまたは下ドラムを駆動して動作させ、対応するＩＣコントローラは、ユーザーの洗濯工程に対する把握の便宜上、該当するドラムの動作状態パラメータを操作パネルにリアルタイムに伝送してリアルタイムに表示させる。
【００２３】
上記のダブルドラム洗濯機の制御工程について、本開示の実施例に係る操作パネルは、図３〜５に示す構成を採用してもよい。操作パネルは、領域別に入力制御ユニット４、出力表示ユニット５、６、切り替えユニット７に分けられる。ここで、入力制御ユニット４は、入力制御要素９として「温度」、「回転数」、「洗濯」、「濯ぎ」、「予約」、「洗浄」など６つのボタンから構成され、該入力制御ユニット４における全ての入力制御要素を上ドラムおよび下ドラムの共用部分とする。対応する出力表示ユニット５も、複数の出力表示要素１０から構成され、上ドラムの入力制御要素である「温度」、「回転数」、「洗濯」、「濯ぎ」、「予約」、「洗浄」が入力される時に選択されたパラメータの表示にそれぞれ対応する。そして、出力表示ユニット６も複数の出力表示要素から構成され、下ドラムの入力制御要素である「温度」、「回転数」、「洗濯」、「濯ぎ」、「予約」、「洗浄」が入力される時に選択されたパラメータの表示にそれぞれ対応する。動作時に、切り替えユニット７の選択によって、該当する上ドラムまたは下ドラムが選定され、図３に示すように、この時選定されたのは上ドラムである。共用の入力制御要素は、上ドラムの動作プログラムに一意に対応し、ＩＣコントローラは、上記入力されたパラメータを対応する動作プログラムに伝送し、この時、共用の制御要素９が上ドラムの制御プログラムのみとして入力され、該当する上ドラムおよび下ドラムの出力表示ユニットはそれぞれ独立する。例えば、「回転数」として、上ドラムが９００ｒｐｍであり、下ドラムが１０００ｒｐｍであり、「洗濯」として、上ドラムが３０分間であり、下ドラムが２０分間である。洗濯機のリアルタイムの動作状態が一目ではっきりとわかる。
【００２４】
操作パネルの構成の別の選択肢は図６に示すとおりである。ここで、操作パネルは、領域別に入力制御ユニット４、出力表示ユニット５に分けられる。この例では、対応する出力表示ユニット５は、複数の出力表示要素１０から構成され、共用の出力表示要素となる。入力制御ユニット４は２組あり、それぞれ上ドラムおよび下ドラムに対応し、各組は、いずれも入力制御要素９として、上下ドラムの制御プログラムの入力制御要素にそれぞれ対応する「温度」、「回転数」、「洗濯」、「濯ぎ」、「予約」、「洗浄」など６つのボタンから構成される。動作時に、切り替えユニット７の選択によって、該当する上ドラムまたは下ドラムが選定され、図６に示すように、この時に選定されたのは上ドラムである。共用の出力表示要素は、上ドラムの動作プログラムに一意に対応し、ＩＣコントローラは、上記表示要素を介して上ドラムのリアルタイムの動作状態パラメータを出力する。同図に示される上ドラムの「温度」が６０℃であり、「回転数」が８００ｒｐｍであり、「洗濯」時間が３０分間であり、「濯ぎ」回数が３回である。この時、上下ドラムの入力は、それぞれ独立した制御要素を介して入力される。
【００２５】
操作パネルの構成の第３種の選択肢は図７に示すとおりである。ここで、操作パネルは、領域別に入力制御ユニット４、出力表示ユニット５に分けられる。この例では、対応する出力表示ユニット５は、複数の出力表示要素１０から構成され、共用の出力表示要素となる。入力制御ユニット４は、入力制御要素９として「温度」、「回転数」、「洗濯」、「濯ぎ」、「予約」、「洗浄」など６つのボタンから構成され、共用の出力表示要素となる。動作時に、切り替えユニット７の選択によって、該当する上ドラムまたは下ドラムが選定され、図７に示すように、この時選定されたのは上ドラムである。共用の出力表示要素および共用の入力制御要素は、いずれも上ドラムの動作プログラムに一意に対応し、ＩＣコントローラは、上記表示要素を介して上ドラムのリアルタイムの動作状態パラメータを出力する。同図に示される上ドラムの「温度」が６０℃であり、「回転数」が８００ｒｐｍであり、「洗濯」時間が３０分間であり、「濯ぎ」回数が２回である。該解決策の利点は、共用の入力制御要素および出力表示要素を１組のみ使用すれば、上下ドラムをそれぞれ制御するために必要な入力と出力機能を満たすことができる。
【００２６】
本開示の実施例の別の利点は、２つまたは２つ以上の独立した洗濯ドラムについて、これらの制御システムを大きく変更する必要がなく、メンテナンスの時に1セットの独立したシステムのみのメンテナンスを行えばよい。これは、製品の後期のソフトウェアのアップデート、例えば、現在、インターネットによる使用者の日々高まるニーズに対して現実的意味がある。
【００２７】
操作パネルの全体には、１セットの制御システムしか存在しないため、電源をまとめて制御するスイッチとして、１つの電源スイッチ８を単独に設置してもよい。対応する切り替えユニット７は様々な外形に構成されてもよく、常用のダブルボタンに加え、単一ボタンで切り替えてもよく、オプションとして、代わりにつまみを用いて選択および切り替えを行ってもよい。
【００２８】
図８では、操作パネルが構成する第４種の可能な選択が示されている。図８に示すように、つまみを選択・切り替えのスイッチとし、回転方向を入力制御要素とし、両側のプログラムメニュを出力表示要素としてもよい。対応する入力制御要素および出力表示要素は、いずれも共用のものとなり、それぞれ選択用のスイッチごとに１つの洗濯ドラムに指向され、同図に示すように、この時、下ドラムの出力として使用される。
【００２９】
実際の使用において、もう一つの態様が存在する。図９に示すように、対応する入力制御要素および出力表示要素を同一のボタンに設け、入力のために使用されるとともに、状態出力のためにも使用される。同図に示すように、この時、「化学繊維」の洗濯プログラムが選択され、選択されたときに、対応した「化学繊維」ボタンが同時に点灯され、状態の出力となる。
【００３０】
図１０には、上記洗濯機に適用される制御方法の流れを示す模式図が対応的に示されており洗濯機を操作する時に、下記のステップを含む。Ｓ１１０において、洗濯機が該当する洗濯ドラムの選択コマンドを取得する。Ｓ１２０において、該洗濯ドラムのバックグラウンド制御プログラムを呼び出し、共用の入力制御要素および／または出力表示要素を、前記複数の洗濯ドラムのうちの１つの動作プログラムに一意に対応させ、前記複数の洗濯ドラムのうちの１つの入力要素または出力要素とする。
【００３１】
もちろん、プログラム実行のオプションの形態として、操作パネルの構成に応じて、前記洗濯ドラムのバックグラウンド制御プログラムを呼び出す際に、前記入力制御要素のみを入力要素とするように設定してもよく、前記洗濯ドラムのバックグラウンド制御プログラムを呼び出す際に、前記出力制御要素のみを出力要素とするように設定しもよい。
【００３２】
上記で説明したのは本開示のオプションの実施例に過ぎず、本開示を限定するためのものではなく、当業者にとって、本開示はオプションの実施形態で様々な変更と変化が可能となる。
【産業上の利用可能性】
【００３３】
本開示の実施例は、多ドラム洗濯機およびその制御方法を提供し、１セットの制御システムに複数の洗濯ドラムの操作や制御が統合されることを達成し、従来の簡単なハードウェア付加を代替し、多ドラム洗濯機の操作パネルの入力制御ユニットの数と出力表示ユニットの数を減少することによって、操作パネルのハードウェア構造を簡略化し、洗濯機のハードウェアのコストを低減するとともに、後期の制御システムのバージョンアップとメンテナンスに寄与する。
【符号の説明】
【００３４】
１      上ドラム
２      下ドラム
３      操作パネル
４      入力制御ユニット
５，６  出力表示ユニット
７      切り替えユニット
８      電源スイッチ
９      入力制御要素
１０    出力表示要素。
【図１】
2019501724.tif 000003
【図２】
2019501724.tif 000004
【図３】
2019501724.tif 000005
【図４】
2019501724.tif 000006
【図５】
2019501724.tif 000007
【図６】
2019501724.tif 000008
【図７】
2019501724.tif 000009
【図８】
2019501724.tif 000010
【図９】
2019501724.tif 000011
【図１０】
2019501724.tif 000012
【国際調査報告】
2019501724.tif 000013
2019501724.tif 000014
2019501724.tif 000015
2019501724.tif 000016
2019501724.tif 000017
2019501724.tif 000018